(57)【特許請求の範囲】
【請求項１】
第１の操作を検出する操作部と、
第２の操作を検出するタッチスクリーンディスプレイと、
ロック状態において前記操作部により第１の操作が検出されているときに、前記タッチスクリーンディスプレイによって第２の操作が検出された場合に、前記ロック状態を解除するコントローラと
を備え、
前記タッチスクリーンディスプレイは、
前記ロック状態において、ロック画面および前記ロック画面に配置される第１のオブジェクトを表示し、前記第１のオブジェクトに対応するタッチジェスチャを前記第２の操作として検出し、
前記コントローラは、
前記ロック状態において前記操作部により前記第１の操作が検出された場合に、前記第１のオブジェクトの表示態様を変更し、
前記第１の操作が検出されなくなってから、所定時間経過後に前記第１のオブジェクトの表示態様を元に戻す装置。
【請求項２】
前記タッチスクリーンディスプレイは、前記ロック状態において、前記ロック画面に配置され、アプリケーションと対応付けられた第２のオブジェクトをさらに表示し、
前記コントローラは、前記操作部により第１の操作が検出されているときに、前記タッチスクリーンディスプレイによって前記第２のオブジェクトに対応するタッチジェスチャが検出された場合に、前記第２のオブジェクトに対応付けられたアプリケーションを実行する請求項１に記載の装置。
【請求項３】
操作部とタッチスクリーンディスプレイを備える装置を制御する方法であって、
第１の操作を前記操作部によって検出するステップと、
ロック状態において、ロック画面および前記ロック画面に配置される第１のオブジェクトを前記タッチスクリーンディスプレイに表示するステップと、
前記第１のオブジェクトに対応するタッチジェスチャを第２の操作として前記タッチスクリーンディスプレイによって検出するステップと、
ロック状態において前記操作部により第１の操作が検出されているときに、前記タッチスクリーンディスプレイによって前記第２の操作が検出された場合に、前記ロック状態を解除するステップと、
前記ロック状態において前記操作部により前記第１の操作が検出された場合に、前記第１のオブジェクトの表示態様を変更するステップと、
前記第１の操作が検出されなくなってから、所定時間経過後に前記第１のオブジェクトの表示態様を元に戻すステップと
を含む方法。
【請求項４】
操作部とタッチスクリーンディスプレイを備える装置に、
第１の操作を前記操作部によって検出するステップと、
ロック状態において、ロック画面および前記ロック画面に配置される第１のオブジェクトを前記タッチスクリーンディスプレイに表示するステップと、
前記第１のオブジェクトに対応するタッチジェスチャを第２の操作として前記タッチスクリーンディスプレイによって検出するステップと、
ロック状態において前記操作部により第１の操作が検出されているときに、前記タッチスクリーンディスプレイによって前記第２の操作が検出された場合に、前記ロック状態を解除するステップと、
前記ロック状態において前記操作部により前記第１の操作が検出された場合に、前記第１のオブジェクトの表示態様を変更するステップと、
前記第１の操作が検出されなくなってから、所定時間経過後に前記第１のオブジェクトの表示態様を元に戻すステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者の誤操作の防止およびセキュリティの観点から、利用者によって操作されない期間がある期間継続するとロック状態へ移行する。ロック状態において、タッチスクリーンデバイスは、特定の操作を除いて、利用者の操作を受け付けない。特定の操作とは、例えば、ロック状態を解除するためのロック解除操作である。
【０００６】
ところで、タッチスクリーンデバイスは、ロック解除操作を検出すると、ロック状態を解除して、特定の操作以外の他の操作が可能な状態に復帰する。しかしながら、ロック解除操作は、タッチスクリーンを介して行われるものが多く、意図せずにロック状態が解除されてしまい、結果的に誤作動を起す可能性がある。
【０００７】
このような理由により、意図せずにロック状態が解除される可能性を低くすることができる装置、方法、及びプログラムに対する必要性がある。
【課題を解決するための手段】
【０００８】
１つの態様に係る装置は、第１の操作を検出する操作部と、第２の操作を検出するタッチスクリーンディスプレイと、ロック状態において前記操作部により第１の操作が検出されているときに、前記タッチスクリーンディスプレイによって第２の操作が検出された場合に、前記ロック状態を解除するコントローラとを備え、前記タッチスクリーンディスプレイは、前記ロック状態において、ロック画面および前記ロック画面に配置される第１のオブジェクトを表示し、前記第１のオブジェクトに対応するタッチジェスチャを前記第２の操作として検出し、前記コントローラは、前記ロック状態において前記操作部により前記第１の操作が検出された場合に、前記第１のオブジェクトの表示態様を変更し、前記第１の操作が検出されなくなってから、所定時間経過後に前記第１のオブジェクトの表示態様を元に戻す。
【０００９】
１つの態様に係る方法は、操作部とタッチスクリーンディスプレイを備える装置を制御する方法であって、第１の操作を前記操作部によって検出するステップと、ロック状態において、ロック画面および前記ロック画面に配置される第１のオブジェクトを前記タッチスクリーンディスプレイに表示するステップと、前記第１のオブジェクトに対応するタッチジェスチャを第２の操作として前記タッチスクリーンディスプレイによって検出するステップと、ロック状態において前記操作部により第１の操作が検出されているときに、前記タッチスクリーンディスプレイによって前記第２の操作が検出された場合に、前記ロック状態を解除するステップと、前記ロック状態において前記操作部により前記第１の操作が検出された場合に、前記第１のオブジェクトの表示態様を変更するステップと、前記第１の操作が検出されなくなってから、所定時間経過後に前記第１のオブジェクトの表示態様を元に戻すステップとを含む。
【００１０】
１つの態様に係るプログラムは、操作部とタッチスクリーンディスプレイを備える装置に、第１の操作を前記操作部によって検出するステップと、ロック状態において、ロック画面および前記ロック画面に配置される第１のオブジェクトを前記タッチスクリーンディスプレイに表示するステップと、前記第１のオブジェクトに対応するタッチジェスチャを第２の操作として前記タッチスクリーンディスプレイによって検出するステップと、ロック状態において前記操作部により第１の操作が検出されているときに、前記タッチスクリーンディスプレイによって前記第２の操作が検出された場合に、前記ロック状態を解除するステップと、前記ロック状態において前記操作部により前記第１の操作が検出された場合に、前記第１のオブジェクトの表示態様を変更するステップと、前記第１の操作が検出されなくなってから、所定時間経過後に前記第１のオブジェクトの表示態様を元に戻すステップとを実行させる。
【図面の簡単な説明】
【００１１】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、ロック画面の一例を示す図である。
【図６】図６は、スマートフォン１の構成を示すブロック図である。
【図７】図７は、ボタンに対する操作が検出されているときにアイコンの表示態様を変更する制御の例を示す図である。
【図８】図８は、アイコンに対するタッチジェスチャが検出された場合にロック状態を解除する制御の例を示す図である。
【図９】図９は、アイコンに対するタッチジェスチャが検出された場合にロック状態を解除する制御の他の例を示す図である。
【図１０】図１０は、第１の操作が操作部により検出されているときに、第２の操作がタッチスクリーンディスプレイによって検出された場合にロック状態を解除する制御を実行する処理手順を示す図である。
【発明を実施するための形態】
【００１２】
図面を参照しつつ実施形態を詳細に説明する。以下では、タッチスクリーンを備える装置の一例として、スマートフォンについて説明する。
【００１３】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。ボタン３Ａ〜３Ｃは、操作部の一例である。
【００１５】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１８】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１９】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００２０】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２１】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２２】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２３】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２４】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２５】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２６】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２７】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２８】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２９】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００３０】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３１】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３２】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３３】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３４】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３５】
図５を参照しながら、ディスプレイ２Ａに表示されるロック画面の例について説明する。図５は、ロック画面の一例を示す図である。スマートフォン１は、図４に示すホーム画面４０の他に、図５に示すロック画面６０をディスプレイ２Ａに表示する。ロック画面６０は、利用者の誤操作の防止およびセキュリティの観点から、ロック状態のときにディスプレイ２Ａに表示される。
【００３６】
図５に示すロック画面６０には、ホーム画面４０の壁紙４１とは異なる壁紙６１の上に複数のアイコン６２ａ〜６２ｅが配置された状態で表示される。アイコン６２ａは、音楽コンテンツの再生機能などを提供する音楽アプリケーションに対応するアイコンである。アイコン６２ｂは、写真撮影機能を提供するカメラアプリケーションに対応するアイコンである。アイコン６２ｃは、電子メールの送受信機能などを提供するメールアプリケーションに対応するアイコンである。アイコン６１ｄは、ＷＥＢブラウジングの機能を提供するブラウザアプリケーションに対応するアイコンである。アイコン６１ｅは、ロック状態を解除する機能に対応するアイコンである。アイコン６２ａ〜６１ｄは、第２のオブジェクトの一例である。アイコン６１ｅは、第１のオブジェクトの一例である。ロック画面６０に表示されるアイコンの数および壁紙６１の画像は、本実施形態における一例であり、図５に示す例に限定されない。例えば、ロック画面６０に表示されるアイコンの数は、図５に示す例よりも多くてもよいし、少なくてもよい。例えば、ロック画面６０に表示される壁紙６１の画像上に、メールの受信および電話の着信などの日時以外の情報が表示されてもよい。
【００３７】
図６は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００４０】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４１】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４２】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４３】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４４】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４６】
ストレージ９は、例えば、制御プログラム９Ａ、メールアプリケーション９Ｂ、ブラウザアプリケーション９Ｃ、カメラアプリケーション９Ｄ、音楽アプリケーション９Ｅ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。カメラアプリケーション９Ｄは、写真撮影機能を提供する。音楽アプリケーションは、音楽コンテンツの再生およびソートなどの機能を提供する。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ロック状態においてボタン３により第１の操作が検出されているときに、タッチスクリーン２Ｂによって第２の操作が検出された場合に、ロック状態を解除する機能が含まれる。制御プログラム９Ａが提供する機能は、メールアプリケーション９Ｂ等の他のプログラムが提供する機能と組み合わせて利用されることがある。
【００４８】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００５０】
コントローラ１０は、例えば、制御プログラム９Ａを実行することにより、ロック状態においてボタン３により第１の操作が検出されているときに、タッチスクリーン２Ｂによって第２の操作が検出された場合に、ロック状態を解除する。
【００５１】
カメラ１２は、フロントフェイス１Ａに面している物体を撮影するインカメラである。カメラ１３は、バックフェイス１Ｂに面している物体を撮影するアウトカメラである。
【００５２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５３】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５４】
図６においてストレージ９が記憶するプログラムの一部又は全部は、通信ユニット６による無線通信で他の装置からダウンロードされてもよい。図７においてストレージ９が記憶するプログラムの一部又は全部は、ストレージ９に含まれる読み取り装置が読み取り可能な非一過的な記憶媒体に記憶されていてもよい。図７においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５５】
図６に示したスマートフォン１の構成は一例であり、本出願の要旨を損なわない範囲において適宜変更してよい。例えば、ボタン３の数と種類は図７の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図７に示した例では、スマートフォン１が２つのカメラを備えるが、スマートフォン１は、１つのカメラのみを備えてもよいし、カメラを備えなくてもよい。図７に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５６】
図７〜図９を参照しながら、制御プログラム９Ａが提供する機能に基づく制御の例について説明する。制御プログラム９Ａが提供する機能には、ロック状態においてボタン３により第１の操作が検出されているときに、タッチスクリーン２Ｂによって第２の操作が検出された場合に、ロック状態を解除する機能が含まれる。
【００５７】
図７は、ボタンに対する操作が検出されているときにアイコンの表示態様を変更する制御の例を示している。図７は、操作部の一例であるボタン３Ａに対して利用者による操作が検出された場合に、ロック画面６０に表示されたアイコン６２ｅの表示態様が変更される様子を示している。
【００５８】
図７に示すステップＳ１１は、ディスプレイ２Ａに、ロック画面６０が表示された状態を示している。図７に示すステップＳ１２は、利用者の左手の親指によりボタン３Ａが操作され、ロック画面６０に表示されているアイコン６２ｅが、ステップＳ１１よりも拡大表示された状態を示している。
【００５９】
スマートフォン１は、ボタン３Ａの検出結果を取得する。そして、スマートフォン１は、ステップＳ１２に示すように、ボタン３Ａに対する利用者の操作が検出された場合には、ロック画面６０に表示されているアイコン６２ｅを拡大表示する。スマートフォン１は、任意の倍率でアイコン６２ｅを拡大する。これにより、利用者は、ボタン３Ａに対する操作が行われていることを認識できる。
【００６０】
図７に示す場合では、スマートフォン１は、ボタン３Ａに対する利用者の操作が検出されているときに、アイコン６２ｅを拡大表示する例を説明したが、アイコン６２ｅの色を変更したり、アイコン６２ｅを振動させたりしてもよい。
【００６１】
図７に示す場合では、スマートフォン１は、ボタン３Ａに対する利用者の操作が検出されているときに、アイコン６２ｅを拡大表示する例を説明したが、ボタン３Ａに対して利用者による操作が検出されなくなったときに、アイコン６２ｅを元の大きさに戻してもよい。あるいは、スマートフォン１は、ボタン３Ａに対して利用者による操作が検出されなくなってから一定時間経過後に、アイコン６２ｅを元の大きさに戻してもよい。
【００６２】
図７に示す場合では、スマートフォン１は、ロック状態の解除操作を受け付け可能な状態にあることを利用者に示す目的で、ボタン３Ａに対する利用者の操作が検出されているときに、ロック状態を解除する為の機能に対応するアイコン６２ｅの拡大表示する例を説明したが、これには限定されない。例えば、スマートフォン１は、ボタン３Ａに対する利用者の操作が検出されているときに、ロック画面６０に表示されているアイコン６２ａ〜６２ｅを全ての表示態様を変更してもよい。
【００６３】
図７に示す場合において、スマートフォン１は、ボタン３Ｂまたはボタン３Ｃに対する利用者の操作が検出されているときに、アイコン６２ｅを拡大表示してもよい。
【００６４】
図８は、アイコンに対するタッチジェスチャが検出された場合にロック状態を解除する制御の例を示している。図８は、ボタン３Ａに対して利用者による操作が検出されているときに、第１のオブジェクトの一例であるアイコン６２ｅに対するタップが検出されることにより、ロック状態が解除され、ディスプレイ２Ａにホーム画面４０が表示される様子を示している。
【００６５】
図８に示すステップＳ２１は、利用者の左手の親指によりボタン３Ａが操作されているときに、利用者の右手の人差し指によりロック画面６０に表示されているアイコン６２ｅがタップされた状態を示している。図８に示すステップＳ２２は、ロック状態が解除され、ディスプレイ２Ａにホーム画面４０が表示された様子を示している。
【００６６】
スマートフォン１は、タッチスクリーン２Ｂの検出結果を取得する。そして、スマートフォン１は、ステップＳ２１及びステップＳ２２に示すように、ボタン３Ａに対する操作が検出されているときに、アイコン６２ｅに対するタップが検出されることを条件に、ロック状態を解除して、ディスプレイ２Ａにホーム画面４０を表示する。このように、本実施形態によれば、ロック状態を解除するために、ボタン３Ａおよびアイコン６２ｄに対する２つの操作を必要とする。このようなことから、本実施形態によれば、意図せずにロック状態が解除されてしまうことをできるだけ防止できる。
【００６７】
図８に示す場合では、スマートフォン１は、ボタン３Ａに対する利用者の操作が検出されているときに、アイコン６２ｅに対するタップが検出されることを条件に、ロック状態を解除する例を説明したが、これには限定されない。例えば、スマートフォン１は、タップの代わりに、アイコン６２ｅに対するダブルタップ、タッチ、ロングタッチ、フリックおよびスワイプが検出されることを条件に、ロック状態を解除してもよい。あるいは、スマートフォン１は、タップの変わりに、アイコン６２ｅのドラッグが検出された場合に、ロック状態を解除してもよい。このとき、スマートフォン１は、一定距離以上アイコン６２ｅがドラッグされた場合にロック状態を解除してもよい。あるいは、スマートフォン１は、ドラッグしたアイコン６２ｅをリリースさせるための目印を画像またはアイコンなどでロック画面６０に設け、その目印までアイコン６２ｅがドラッグされた場合にロック状態を解除してもよい。
【００６８】
図８に示す場合では、スマートフォン１が、ボタン３Ａに対する利用者の操作が検出されているときに、アイコン６２ｅに対するタップが検出されることを条件に、ロック状態を解除する例を説明したが、これには限定されない。例えば、ロック画面６０にアイコン６２ｅがない場合、スマートフォン１は、ロック画面６０に対するタッチジェスチャが検出されることを条件にロック状態を解除してもよい。すなわち、スマートフォン１は、ボタン３Ａに対する操作が検出されているときに、ロック画面６０に表示されているアイコン６２ａ〜６２ｄ以外へのタップがタッチスクリーン２Ｂにより検出された場合にロック状態を解除する。
【００６９】
図９は、アイコンに対するタッチジェスチャが検出された場合にロック状態を解除する制御の他の例を示している。図９は、ボタン３Ａに対して利用者による操作が検出されているときに、第２のオブジェクトの一例であるアイコン６２ｄに対するタップが検出されることにより、ロック状態が解除され、ディスプレイ２Ａにホーム画面４０が表示される様子を示している。
【００７０】
図９に示すステップＳ３１は、利用者の左手の親指によりボタン３Ａが操作されているときに、利用者の右手の人差し指によりロック画面６０に表示されているアイコン６２ｄがタップされた状態を示している。図９に示すステップＳ３２は、ロック状態が解除され、ディスプレイ２Ａにホーム画面４０が表示された様子を示している。
【００７１】
スマートフォン１は、タッチスクリーン２Ｂの検出結果を取得する。そして、スマートフォン１は、ステップＳ３１及びステップＳ３２に示すように、ボタン３Ａに対する利用者の操作が検出されているときに、アイコン６２ｄに対するタップが検出されることを条件に、ロック状態を解除して、アイコン６２ｄに対応するブラウザアプリケーション９Ｃを実行する。ステップＳ３２に示すように、スマートフォン１は、ブラウザアプリケーション９Ｃの画面６３をディスプレイ２Ａに表示する。このように、本実施形態によれば、ロック状態を解除するために、ボタン３Ａおよびアイコン６２ｄに対する２つの操作を必要とする。このようなことから、本実施形態によれば、意図せずにロック状態が解除されてしまうことをできるだけ防止できる。さらに、本実施形態によれば、ロック状態を解除するとともに、アプリケーションを実行できるので、効率的な操作も実現できる。
【００７２】
図９に示す場合では、スマートフォン１は、ボタン３Ａに対する利用者の操作が検出されているときに、アイコン６２ｄに対するタップが検出されることを条件に、ロック状態を解除する例を説明したが、これには限定されない。例えば、スマートフォン１は、図８に示す例と同様に、タップの代わりに、アイコン６２ｄに対するダブルタップ、タッチ、ロングタッチ、フリック、スワイプおよびドラッグが検出されることを条件に、ロック状態を解除して、アイコン６２ｄに対応するアプリケーションを実行してもよい。
【００７３】
図９に示す場合では、スマートフォン１は、ロック状態を解除して、アイコン６２ｄに対応するブラウザアプリケーション９Ｃを実行する例を説明したが、ロック状態を維持しつつ、アイコン６２ｄに対応するブラウザアプリケーション９Ｃを実行してもよい。この場合、スマートフォン１は、ブラウザアプリケーション９Ｃを実行した後、再びロック状態に戻る。
【００７４】
図９に示す場合において、スマートフォン１は、ボタン３Ａに対する利用者の操作が検出されているときに、他のアイコン６２ａ〜６２ｃのいずれか１つに対するタップが検出されることを条件に、ロック状態を解除して、アイコン６２ａ〜６２ｃに対応するアプリケーションを実行してもよい。
【００７５】
図１０を参照しながら、制御プログラム９Ａが提供する機能に基づく制御の処理手順の例について説明する。図１０は、第１の操作が操作部により検出されているときに、第２の操作がタッチスクリーンディスプレイによって検出された場合にロック状態を解除する制御を実行する処理手順を示している。図１０に示す処理手順は、コントローラ１０が、制御プログラム９Ａを実行することによって実現される。図１０に示す処理手順は、ロック状態の継続中、コントローラ１０によって繰り返し実行される。
【００７６】
図１０に示すように、コントローラ１０は、ステップＳ１０１として、操作部の検出結果を取得する。例えば、コントローラ１０は、操作部の一例であるボタン３Ａによる検出結果を取得する。
【００７７】
コントローラ１０は、ステップＳ１０２として、操作部に対する第１の操作が検出されたか否かを判定する。例えば、コントローラ１０は、操作部の一例であるボタン３Ａに対する操作が検出されたか否かを判定する。
【００７８】
コントローラ１０は、判定の結果、操作部に対する第１の操作が検出された場合には（ステップＳ１０２，Ｙｅｓ）、ステップＳ１０３として、オブジェクトの表示態様を変更する。例えば、コントローラ１０は、ロック画面６０に表示されているアイコン６２ｅを拡大表示する。
【００７９】
コントローラ１０は、ステップＳ１０４として、タッチスクリーン２Ｂの検出結果を取得する。続いて、コントローラ１０は、ステップＳ１０５として、オブジェクトに対する第２の操作が検出されたか否かを判定する。例えば、コントローラ１０は、ボタン３Ａに対する操作が検出されているときに、タッチスクリーン２Ｂによりアイコン６２ｅに対するタップが検出されたか否かを判定する。あるいは、コントローラ１０は、ボタン３Ａに対する操作が検出されているときに、タッチスクリーン２Ｂによりアイコン６２ａ〜６０ｄのいずれか１つに対するタップが検出されたか否かを判定する。
【００８０】
コントローラ１０は、判定の結果、オブジェクトに対する第２の操作が検出された場合には（ステップＳ１０５，Ｙｅｓ）、ロック状態を解除し、処理を終了する。一方、コントローラ１０は、判定の結果、オブジェクトに対する第２の操作が検出されなかった場合には（ステップＳ１０５，Ｎｏ）、ロック状態を解除せず、処理を終了する。
【００８１】
ステップＳ１０２において、コントローラ１０は、判定の結果、操作部に対する第１の操作が検出されなかった場合には（ステップＳ１０２，Ｎｏ）、処理を終了する。
【００８２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００８３】
例えば、図７に示した各プログラムは、複数のモジュールに分割されていてもよい。あるいは、図７に示した各プログラムは、他のプログラムと結合されていてもよい。
【００８４】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００８５】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  カメラアプリケーション
９Ｅ  音楽アプリケーション
９Ｙ  使用状況データ
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
0005848971.tif 000002
【図２】
0005848971.tif 000003
【図３】
0005848971.tif 000004
【図４】
0005848971.tif 000005
【図５】
0005848971.tif 000006
【図６】
0005848971.tif 000007
【図７】
0005848971.tif 000008
【図８】
0005848971.tif 000009
【図９】
0005848971.tif 000010
【図１０】
0005848971.tif 000011